【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
モバイルディスプレイディジタルインタフェース（ＭＤＤＩ）システムにおいて、複数のデータチャネルからの各データチャネルの逆方向データサンプリングのための方法であって、
ホストからクライアントへ往復遅延測定パケットを送ることと、
前記各データチャネルについて、前記クライアントによって前記ホストへと、前記往復遅延測定パケットの測定ウィンドウの内部でパルスを送ることと、
前記各データチャネルについて、前記往復遅延測定パケットの測定ウィンドウの内部で送られたパルスを検出することによって、前記ＭＤＤＩシステムの往復遅延を測定することと、
前記送られたパルスの位相を決定することと、
前記各チャネルの測定された往復遅延を保存することと、
前記各データチャネルの保存された往復遅延に基づいて、前記クライアントによって送られた逆方向データのサンプリングを開始する時間を決定することと
からなる各ステップを備える方法。
【請求項２】
前記往復遅延を測定するステップは、前記ホストから前記クライアントへの、及び、前記クライアントから前記ホストへの伝搬遅延を測定することを備える請求項１に記載の方法。
【請求項３】
前記測定された往復遅延に基づいて、逆方向リンクカプセル化パケットにおけるリンクレート除数を決定することを更に備える請求項１に記載の方法。
【請求項４】
モバイルディスプレイディジタルインタフェース（ＭＤＤＩ）システムにおいて、複数のデータチャネルからの各データチャネルの逆方向データサンプリングのためのシステムであって、
ホストからクライアントへ往復遅延測定パケットを送る手段と、
前記各データチャネルについて、前記クライアントによって前記ホストへと、前記往復遅延測定パケットの測定ウィンドウの内部でパルスを送る手段と、
前記各データチャネルについて、前記往復遅延測定パケットの測定ウィンドウの内部で送られたパルスを検出することによって、前記ＭＤＤＩシステムの往復遅延を測定する手段と、
前記送られたパルスの位相を決定する手段と、
前記各チャネルの測定された往復遅延を保存する手段と、
前記各データチャネルの保存された往復遅延に基づいて、前記クライアントによって送られた逆方向データのサンプリングを開始する時間を決定する手段と
を備えるシステム。
【請求項５】
前記往復遅延を測定する手段は、前記ホストから前記クライアントへの、及び、前記クライアントから前記ホストへの伝搬遅延を測定する手段を備える請求項４に記載のシステム。
【請求項６】
前記測定された往復遅延に基づいて、逆方向リンクカプセル化パケットにおけるリンクレート除数を決定する手段を更に備える請求項４に記載のシステム。
【請求項７】
モバイルディスプレイディジタルインタフェース（ＭＤＤＩ）システムにおいて、複数のデータチャネルからの各データチャネルの逆方向データサンプリングを行わせるコードを備えたコンピュータ読取可能媒体であって、
前記コンピュータコードは、
ホストからクライアントへ往復遅延測定パケットを送らせるコードと、
前記各データチャネルについて、前記クライアントによって前記ホストへと、前記往復遅延測定パケットの測定ウィンドウの内部でパルスを送らせるコードと、
前記各データチャネルについて、前記往復遅延測定パケットの測定ウィンドウの内部で送られたパルスを検出することによって、前記ＭＤＤＩシステムの往復遅延を測定させるコードと、
前記送られたパルスの位相を決定させるコードと、
前記各チャネルの測定された往復遅延を保存させるコードと、
前記各データチャネルの保存された往復遅延に基づいて、前記クライアントによって送られた逆方向データのサンプリングを開始する時間を決定させるコードと
を備えるコンピュータ読取可能媒体を備えるコンピュータプログラム製品。
【請求項８】
前記往復遅延を測定させるコードは、前記ホストから前記クライアントへの、及び、前記クライアントから前記ホストへの伝搬遅延を測定させるコードを備える請求項７に記載のコンピュータプログラム製品。
【請求項９】
前記測定された往復遅延に基づいて、逆方向リンクカプセル化パケットにおけるリンクレート除数を決定させるコードを更に備える請求項７に記載のコンピュータプログラム製品。
【請求項１０】
モバイルディスプレイディジタルインタフェース（ＭＤＤＩ）システムにおいて、ホストとクライアントとの間のデータレートを決定する方法であって、
前記クライアントをサポートすることができる校正前最小データレートを選択することと、
前記ホストによるクライアント機能パケットを、前記クライアントから要求することと、
順方向リンク歪み校正を実行し、前記データレートで動作するようにリンクを最適化することと、
前記クライアント機能パケット内のデータレートの値に基づいて、最大データレートを決定することと、
前記決定した最大データレートで動作することと
からなる各ステップを備える方法。
【請求項１１】
モバイルディスプレイディジタルインタフェース（ＭＤＤＩ）システムにおいて、ホストとクライアントとの間のデータレートを決定するシステムであって、
前記クライアントをサポートすることができる校正前最小データレートを選択する手段と、
前記ホストによるクライアント機能パケットを、前記クライアントから要求する手段と、
順方向リンク歪み校正を実行し、前記データレートで動作するようにリンクを最適化する手段と、
前記クライアント機能パケット内のデータレートの値に基づいて、最大データレートを決定する手段と、
前記決定した最大データレートで動作する手段と
を備えるシステム。
【請求項１２】
モバイルディスプレイディジタルインタフェース（ＭＤＤＩ）システムにおいて、ホストとクライアントとの間の最適なデータレートを決定させるコードを備えたコンピュータ読取可能媒体であって、
前記コンピュータコードは、
前記クライアントをサポートすることができる校正前最小データレートを選択させるコードと、
前記ホストによるクライアント機能パケットを、前記クライアントから要求させるコードと、
順方向リンク歪み校正を実行し、前記データレートで動作するようにリンクを最適化させるコードと、
前記クライアント機能パケット内のデータレートの値に基づいて、最大データレートを決定させるコードと、
前記決定した最大データレートで前記システムを動作させるコードと
を備えるコンピュータ読取可能媒体を備えるコンピュータプログラム製品。
【請求項１３】
モバイルディスプレイディジタルインタフェース（ＭＤＤＩ）システムの内部モードにおいて、２つのクライアントをホストに接続する装置であって、
Ｌｓｔｕｂ１を備える第１の長さＬを持つケーブルの一端における第１の位置において終端された第１のスタブと、
前記第１の位置において、送受信機能を備える第１のクライアントデバイスと、
Ｌｓｔｕｂ１＋Ｌｓｔｕｂ２を備える第２の長さＬを持つ前記ケーブルの第２の位置において終端された第２のスタブと、
前記第２の位置において、受信機能のみを備える第２のクライアントデバイスとを備え、
前記第１の長さと前記第２の長さとは予め定められている装置。
【請求項１４】
モバイルディスプレイディジタルインタフェース（ＭＤＤＩ）システムの内部モードにおいて、２つのクライアントをホストに接続する方法であって、
Ｌｓｔｕｂ１を備える第１の長さＬを持つケーブルの一端における第１の位置において終端された第１のスタブを備えることと、
前記第１の位置に、送受信機能を備える第１のクライアントデバイスを接続することと、
Ｌｓｔｕｂ１＋Ｌｓｔｕｂ２を備える第２の長さＬを持つ前記ケーブルの第２の位置において終端された第２のスタブを備えることと、
前記第２の位置に、受信機能のみを備える第２のクライアントデバイスを接続することとからなる各ステップを備え、
前記第１の長さと前記第２の長さとは予め定められている方法。
【請求項１５】
前記第１の長さと前記第２の長さとを、予め定めた信号品質に最適化することを更に備える請求項１４に記載の方法。